(57)【特許請求の範囲】
【請求項１】
内面と外面とを有し、その内面において食品を把持する細長状基材からなる食品用把持具において、
基材は四角形状の基板と、
基板の対向する一対の折罫から長手方向に延びる一対の把持板と、
各把持板の長手方向に沿う一対の側方折罫から外方へ延びる側板と、
一の把持板の一側の側板と他の把持板の一側の側板との間に折罫を介して設けられた第１連結板と、
一の把持板の他側の側板と他の把持板の他側の側板との間に折罫を介して設けられた第２連結板とを備え、
食品用把持具を閉方向へ屈曲させた場合に第１連結板と第２連結板は開方向へのバネ性を呈することを特徴とする食品用把持具。
【請求項２】
第１連結板と第２連結板は、各々下辺が外方を向く台形形状を有することを特徴とする請求項１記載の食品用把持具。
【請求項３】
第１連結板と第２連結板の下辺は外方へ向かって突出する湾曲線からなることを特徴とする請求項２記載の食品用把持具。
【請求項４】
第１連結板と第２連結板の下辺は内方へ向かって突出する湾曲線からなることを特徴とする請求項２記載の食品用把持具。
【請求項５】
内面と外面とを有し、その内面において食品を把持する細長状基材からなる食品用把持具において、
基材は基板と、
基板の対向する一対の折罫から長手方向に延びる一対のだ円形状の把持板と、を備え、  各把持板はその長軸が長手方向を向き、
食品用把持具を閉方向へ屈曲させた場合に一対の把持板間の基板が開方向へのバネ性を呈し、基板の幅は各だ円形状の把持板の短軸長さに一致することを特徴とする食品用把持具。
【請求項６】
細長状基材は少なくとも内面側に露出する合成樹脂層と、合成樹脂層の外面側に設けられた紙材とを有することを特徴とする請求項１乃至５のいずれか記載の食品用把持具。
【請求項７】
内面と外面とを有し、その内面において食品を把持する細長状基材からなる食品用把持具ブランク材において、
基材は四角形状の基板パネルと、
基板パネルの対向する一対の折罫から長手方向に延びる一対の把持板パネルと、
各把持板パネルの左右折罫から外方へ延びる側板パネルと、
一の把持板パネルの一側の側板パネルと他の把持板パネルの一側の側板パネルとの間に折罫を介して設けられた第１連結板パネルと、
一の把持板パネルの他側の側板パネルと他の把持板パネルの他側の側板パネルとの間に折罫を介して設けられた第２連結板パネルとを備えたことを特徴とする食品用把持具ブランク材。
【請求項８】
第１連結板パネルと第２連結板パネルは、各々下辺が外方を向く台形形状を有することを特徴とする請求項７記載の食品用把持具ブランク材。
【請求項９】
第１連結板パネルと第２連結板パネルの下辺は外方へ向かって突出する湾曲線からなることを特徴とする請求項８記載の食品用把持具ブランク材。
【請求項１０】
第１連結板パネルと第２連結板パネルの下辺は内方へ向かって突出する湾曲線からなることを特徴とする請求項８記載の食品用把持具ブランク材。
【請求項１１】
内面と外面とを有し、その内面において食品を把持する細長状基材からなる食品用把持具ブランク材において、
基材は基板パネルと、
基板パネルの対向する一対の折罫から長手方向に延びる一対のだ円形状の把持板パネルと、を備え、
各把持板パネルはその長軸が長手方向を向き、基板の幅は各だ円形状の把持板の短軸長さに一致することを特徴とする食品用把持具ブランク材。
【請求項１２】
細長状基材は少なくとも内面側に露出する合成樹脂層と、合成樹脂層の外面側に設けられた紙材とを有することを特徴とする請求項７乃至１１のいずれか記載の食品用把持具ブランク材。
【発明の詳細な説明】
【技術分野】
【０００１】
本発明は、例えばポテトチップスなどの油分の多い食品を把持するための食品用把持具および食品用把持具ブランク材に関する。
【背景技術】
【０００２】
従来より、例えばポテトチップスなどの油分の多い食品を把持して食べた後、ＰＣのキーボード等を操作することがある。この場合、食品を把持した後、その都度手洗いしたり、指先を洗ったりしているが、このような手洗い作業は煩雑となっている。
【０００３】
このため油分の多い食品を指先で把持するための食品用把持具がいくつか開発されている。
【０００４】
しかしながらこのような食品用把持具は、一般に指先に嵌め込まれるサック状のものが多く、食品用把持具を指先に嵌め込む作業が煩雑となっている。
【先行技術文献】
【特許文献】
【０００５】
【特許文献１】特開平７−２８４５０８号公報
【特許文献２】特開２００２−２０９９３３号公報
【特許文献３】特開２００７−３２１３０６号公報
【発明の概要】
【発明が解決しようとする課題】
【０００６】
本発明はこのような点を考慮してなされたものであり、食品を把持する際サックのように指先にその都度嵌め込む必要はなく、食品を容易に把持することができるとともに、使用後に簡単に廃棄することができ、更に製造及び組立てが容易な食品用把持具および食品用把持具ブランク材を提供することを目的とする。
【課題を解決するための手段】
【０００７】
本発明は、内面と外面とを有し、その内面において食品を把持する細長状基材からなる食品用把持具において、基材は四角形状の基板と、基板の対向する一対の折罫から長手方向に延びる一対の把持板と、各把持板の長手方向に沿う一対の側方折罫から外方へ延びる側板と、一の把持板の一側の側板と他の把持板の一側の側板との間に折罫を介して設けられた第１連結板と、一の把持板の他側の側板と他の把持板の他側の側板との間に折罫を介して設けられた第２連結板とを備え、食品用把持具を閉方向へ屈曲させた場合に第１連結板と第２連結板は開方向へのバネ性を呈することを特徴とする食品用把持具である。
【０００８】
本発明は、第１連結板と第２連結板は、各々下辺が外方を向く台形形状を有することを特徴とする食品用把持具である。
【０００９】
本発明は、第１連結板と第２連結板の下辺は外方へ向かって突出する湾曲線からなることを特徴とする食品用把持具である。
【００１０】
本発明は、第１連結板と第２連結板の下辺は内方へ向かって突出する湾曲線からなることを特徴とする食品用把持具である。
【００１１】
本発明は、内面と外面とを有し、その内面において食品を把持する細長状基材からなる食品用把持具において、基材は基板と、基板の対向する一対の折罫から長手方向に延びる一対のだ円形状の把持板と、を備え、各把持板はその長軸が長手方向を向き、食品用把持具を閉方向へ屈曲させた場合に一対の把持板間の基板が開方向へのバネ性を呈し、基板の幅は各だ円形状の把持板の短軸長さに一致することを特徴とする食品用把持具である。
【００１２】
本発明は、細長状基材は少なくとも内面側に露出する合成樹脂層と、合成樹脂層の外面側に設けられた紙材とを有することを特徴とする食品用把持具である。
【００１３】
本発明は、内面と外面とを有し、その内面において食品を把持する細長状基材からなる食品用把持具ブランク材において、基材は四角形状の基板パネルと、基板パネルの対向する一対の折罫から長手方向に延びる一対の把持板パネルと、各把持板パネルの左右折罫から外方へ延びる側板パネルと、一の把持板パネルの一側の側板パネルと他の把持板パネルの一側の側板パネルとの間に折罫を介して設けられた第１連結板パネルと、一の把持板パネルの他側の側板パネルと他の把持板パネルの他側の側板パネルとの間に折罫を介して設けられた第２連結板パネルとを備えたことを特徴とする食品用把持具ブランク材である。
【００１４】
本発明は、第１連結板パネルと第２連結板パネルは、各々下辺が外方を向く台形形状を有することを特徴とする食品用把持具ブランク材である。
【００１５】
本発明は、第１連結板パネルと第２連結板パネルの下辺は外方へ向かって突出する湾曲線からなることを特徴とする食品用把持具ブランク材である。
【００１６】
本発明は、第１連結板パネルと第２連結板パネルの下辺は内方へ向かって突出する湾曲線からなることを特徴とする食品用把持具ブランク材である。
【００１７】
本発明は、内面と外面とを有し、その内面において食品を把持する細長状基材からなる食品用把持具ブランク材において、基材は基板パネルと、基板パネルの対向する一対の折罫から長手方向に延びる一対のだ円形状の把持板パネルと、を備え、各把持板パネルはその長軸が長手方向を向き、基板の幅は各だ円形状の把持板の短軸長さに一致することを特徴とする食品用把持具ブランク材である。
【００１８】
本発明は、細長状基材は少なくとも内面側に露出する合成樹脂層と、合成樹脂層の外面側に設けられた紙材とを有することを特徴とする食品用把持具ブランク材である。
【００１９】
ここでいう折罫とは隣接するパネル間を加工するため用いられる折線、リード罫又はミシン目等をいう。
【発明の効果】
【００２０】
以上のように本発明によれば、折罫を有する食品用把持具ブランク材を容易に製造することができ、かつ食品用把持具ブランク材を折罫に沿って折り曲げることにより、容易に食品用把持具を組立てることができる。食品用把持具を閉方向へ屈曲させた場合、食品用把持具の第１連結板および第２連結板、あるいは食品把持具の一対の把持板間の基板が開方向へのバネ性を呈する。
【図面の簡単な説明】
【００２１】
【図１】図１は本発明による食品用把持具の第１の実施の形態を示す斜視図。
【図２】図２は食品を把持する食品用把持具を示す斜視図。
【図３】図３は食品用把持具ブランク材を示す平面図。
【図４】図４は食品用把持具の変形例を組立てるための食品用把持具ブランク材を示す平面図。
【図５】図５は食品用把持具の変形例を組立てるための食品用把持具ブランク材を示す平面図。
【図６】図６は食品用把持具の基材の層構成を示す図。
【図７】図７は本発明による食品用把持具の第２の実施の形態を示す斜視図。
【図８】図８は食品用把持具ブランク材を示す平面図。
【発明を実施するための形態】
【００２２】
第１の実施の形態
以下、図面を参照して、本発明の第１の実施の形態について説明する。
【００２３】
図１乃至図６は本発明による食品用把持具の第１の実施の形態を示す図である。
【００２４】
図１乃至図６に示すように、食品用把持具１０はポテトチップス等の油分の多い食品、あるいはケチャップ等を含む汚れがつき易い食品Ｓを把持するためのものであって、内面１０ａと外面１０ｂとを有している。使用者は食品用把持具１０の外面１０ｂに指５を当て、食品用把持具１０の内面１０ａによって食品Ｓを把持することができる。
【００２５】
このような食品用把持具１０は細長状基材１１からなっており、この細長状基材１１は図６に示すように、少なくとも食品用把持具１０の内面１０ａ側に露出する合成樹脂層１と、合成樹脂層１の外面側に設けられた紙材２とを有している。
【００２６】
図６に細長状基材１１の層構成を示す。図６に示すように、細長状基材１１のうち内面１０ａ側に露出する合成樹脂層２１としては、ＰＰ（ポリプロピレン）層、ＰＥＴ（ポリエチレンテレフタレート）層、ＰＢＴ（ポリブチルテレフタレート）、ＰＭＰ（ポリメチルペンテン）層が用いられ、合成樹脂層２１の厚みは２０μｍとなっている。
【００２７】
また紙材２は、坪量３００ｇ／ｍ２のものが用いられ、紙材２の外面上には、適宜印刷を施すことにより印刷物３を形成することができる。
【００２８】
なお、細長状基材１１の層構成は、図６に示すものに限られることなく、例えば内面１０ａ側から順に合成樹脂層１および紙材２を配置するとともに、紙材２上に更に合成樹脂製の保護層（図示せず）を設けてもよい。
【００２９】
いずれにしても、細長状基材１１のうち内面１０ａ側には合成樹脂層１が露出しており、この合成樹脂層１が食品Ｓに当接するようになっている。このため食品Ｓが油分の多いポテトチップスであったり、ケチャップを含む食品Ｓであっても、食品Ｓ側の油分あるいは汚れが紙材２２側へ浸透することはない。
【００３０】
また細長状基材１１が紙材２を含むため、使用後に食品用把持具１０を廃棄する場合も、食品用把持具１０を焼却して容易に廃棄することができる。
【００３１】
なお、食品用把持具１０によって食品を短時間だけ把持する場合は、細長状基材１１を紙材２の単層のみで構成してもよい。この場合は、従来の食品用把持具１０に比べて、食品用把持具１０を安価に製造することができる。
【００３２】
次に食品用把持具１０の細部構造について、図１乃至図３により詳述する。
【００３３】
食品用把持具１０は、上述のように細長状基材１１からなり、この細長状基材１１は四角形状の基板１２と、基板１２の対向する一対の折罫２２から長手方向に延びる一対の把持板１３，１４と、一の把持板１３の長手方向に沿う一対の側方折罫（左右の折罫ともいう）２３ａ，２３ｂから外方へ延びる一対の側板１５ａ，１５ｂと、他の把持板１４の長手方向に沿う一対の側方折罫（左右の折罫ともいう）２４ａ，２４ｂから外方へ延びる一対の側板１６ａ，１６ｂとを備えている（図１乃至図３参照）。
【００３４】
また一の把持板１３の一側の側板１５ａと、他の把持板１４の一側の側板１６ａとの間に折罫２６ａを介して第１連結板１７ａが設けられている。
【００３５】
さらに一の把持板１３の他側の側板１５ｂと、他の把持板１４の他側の側板１６ｂとの間に折罫２６ｂを介して第２連結板１７ｂが設けられている。
【００３６】
ここで図１および図２においては、折罫２２，２３ａ，２３ｂ，２４ａ，２４ｂ，２５ａ，２５ｂおよび２６ａ，２６ｂは示されておらず、折罫２２，２３ａ，２３ｂ，２４ａ，２４ｂ，２５ａ，２５ｂおよび２６ａ，２６ｂは図３に示す食品用把持具ブランク材１１Ａに示されている。
【００３７】
このような構成からなる食品用把持具１０において、内面１０ａに向かって閉方向へ食品用把持具１０を屈曲させた場合、第１連結板１７ａと第２連結板１７ｂはいずれも食品用把持具１０を開方向へ戻すようなバネ性を呈する。
【００３８】
すなわち、食品用把持具１０の第１連結板１７ａは一の把持板１３の一側の側板１５ａと、他の把持板１４の一側の側板１６ａとの間に折罫２６ａを介して設けられた台形形状を有し、かつ第１連結板１７ａは基板１２に折罫２５ａを介して連結されている。
【００３９】
また、食品用把持具１０の第２連結板１７ｂは一の把持板１３の他側の側板１５ｂと、他の把持板１４の他側の側板１６ｂとの間に折罫２６ｂを介して設けられた台形形状を有し、かつ第２連結板１７ｂは基板１２に折罫２５ｂを介して連結されている。
【００４０】
さらに第１連結板１７ａと第２連結板１７ｂは上述のように台形形状を有し、各々の台形形状の下辺（台形の下底となる辺）１９が外方を向いている。
【００４１】
後述のように食品用把持具ブランク材１１Ａを折罫２２，２３ａ，２３ｂ，２４ａ，２４ｂ，２５ａ，２５ｂおよび２６ａ，２６ｂを介して折り曲げて食品用把持具１０を組立てた場合、食品用把持具１０の第１連結板１７ａおよび第２連結板１７ｂは各々の３方が折罫２６ａ，２５ａおよび折罫２６ｂ，２５ｂにより拘束された台形形状をもつため、食品用把持具１０を閉方向へ屈曲させた際、第１連結板１７ａおよび第２連結板１７ｂは、いずれもその台形形状を保つよう機能する。このことにより、食品用把持具１０を閉方向に屈曲させた場合に、これら第１連結板１７ａおよび第２連結板１７ｂは、いずれも食品用把持具１０を開方向へ戻すようなバネ性を呈することができる。
【００４２】
次にこのような構成からなる食品用把持具１０を製造するための食品用把持具ブランク材１０Ａについて述べる。
【００４３】
食品用把持具ブランク材１０Ａは、図３に示すように平板状の細長状基材１１からなり、この細長状基材１１は四角形状の基板１２に対応する基板パネル１２Ａと、基板パネル１２Ａの対向する一対の折罫２２から長手方向に延びるとともに一対の把持板１３，１４に対応する一対の把持板パネル１３Ａ，１４Ａと、一の把持板パネル１３Ａの左右の折罫２３ａ，２３ｂから外方へ延びる側板パネル１５Ａ，１５Ｂと、他の把持板パネル１４Ａの左右の折罫２４ａ，２４ｂから外方へ延びる側板パネル１６Ａ，１６Ｂとを備えている（図３）。
【００４４】
ここで、側板パネル１５Ａは側板１５ａに対応し、側板パネル１５Ｂは側板１５ｂに対応する。また側板パネル１６Ａは側板１６ａに対応し、側板パネル１６Ｂは側板１６ｂに対応する。
【００４５】
また一の把持板パネル１３Ａの一側の側板パネル１５Ａと、他の把持板パネル１４Ａの一側の側板パネル１６Ａとの間に折罫２６ａを介して第１連結板パネル１７Ａが設けられている。
【００４６】
さらに一の把持板パネル１３Ａの他側の側板パネル１５Ｂと、他の把持板パネル１４Ａの他側の側板パネル１６Ｂとの間に折罫２６ｂを介して第２連結板パネル１７Ｂが設けられている。この場合、第１連結板パネル１７Ａは第１連結板１７ａに対応し、第２連結板パネル１７Ｂは第２連結板１７ｂに対応する。
【００４７】
また食品用把持具ブランク材１０Ａの長手方向の両端部において、その一端部に把持板パネル１３Ａと、側板パネル１５Ａ，１５Ｂとからなる湾曲線が形成され、他端部に把持板パネル１４Ａと、側板パネル１６Ａ，１６Ｂとからなる湾曲線が形成されている。
【００４８】
次にこのような構成からなる本実施の形態の作用について説明する。
【００４９】
はじめに食品用把持具１０の製造方法について述べる。まず図６に示すような層構成をもつ材料を準備し、この材料を打抜くことにより、図３に示すように、外形が定められた細長形状をもつ平面状のブランク材１０Ａを得る。そして材料を打抜く際、同時に、ブランク材１０Ａに、折罫２２，２３ａ，２３ｂ，２４ａ，２４ｂ，２５ａ，２５ｂおよび２６ａ，２６ｂを形成しておく。
【００５０】
次に平面状のブランク材１０Ａを折罫２２，２３ａ，２３ｂ，２４ａ，２４ｂ，２５ａ，２５ｂおよび２６ａ，２６ｂに沿って折曲げる。このことにより内面１０ａ側に露出する合成樹脂層２１と、合成樹脂層２１の外面側に設けられた紙材２２とを有する細長状基材１１からなる食品用把持具１０が得られる。
【００５１】
この場合、各把持板１３，１４は、把持板パネル１３Ａ，１４Ａを内方へ折曲げることにより形成され、各側板１５ａ，１５ｂは側板パネル１５Ａ，１５Ｂを把持板パネル１３Ａに対して外方へ折曲げることにより形成され、各側板１６ａ，１６ｂは側板パネル１６Ａ，１６Ｂを把持板パネル１４Ａに対して外方へ折曲げることにより形成される。
【００５２】
使用者は食品用把持具１０の外面１０ｂに指５を当て、食品用把持具１０を基板１２を中心として内方へ（閉方向へ）屈曲させることにより、その内面１０ａにおいて、食品Ｓを把持することができる（図２参照）。
【００５３】
その後、食品用把持具１０に当てた指から力を抜くことにより、第１連結板１７ａおよび第２連結板１７ｂがもつバネ性により食品把持具１０は開方向へ戻される。
【００５４】
以上のように、本実施の形態によれば、積層体からなる材料を打抜いて折罫２２，２３ａ，２３ｂ，２４ａ，２４ｂ，２５ａ，２５ｂ，２６ａ，２６ｂを形成するだけで容易かつ簡単にブランク材１０Ａを作製することができるので、ブランク材１０Ａを容易かつ簡単に大量生産することができる。
【００５５】
またブランク材１０Ａの材料として耐熱材料を用いる必要はなく、材料費の低減を図ることができる。
【００５６】
さらにブランク材１０Ａは積層体からなる材料を打抜いて作製することができるので、金型成型により作製する場合に比べて試作する必要はなく、かつ成型用の金型は不要となる。
【００５７】
またブランク材１０Ａは平板状をなしているため、ブランク材１０Ａを搬送する場合、ブランク材１０Ａを多数重ねた状態でコンパクト化して搬送することが可能となる。
【００５８】
さらにまた食品用把持具１０は基板１２を中心として屈曲するので、ヒンジ線を中心として屈曲する場合に比べてヒンジ部の変形を防止することができる。さらに食品用把持具１０を屈曲させることにより、一対の把持板１３，１４の先端を互いに当接することができ、細かな食品Ｓであっても、一対の把持板１３，１４の先端により確実に食品Ｓを把持することができる。
【００５９】
次に本発明による食品用把持具１０の適用範囲について述べる。
【００６０】
食品用把持具１０はカラオケボックス、ファーストフード店においてポテトスナック等を把持する際、用いることができ、このことにより手が汚れることはなくリモコン操作等に支障が生じることはない。
【００６１】
また食品用把持具１０を、電車内においておつまみ等を把持する際、用いることができる。
【００６２】
さらに屋外、登山中にスナック等を把持する際、食品用把持具１０を用いることができ、あるいはフライドチキンを店内で把持する際、食品用把持具１０を用いることができる。
【００６３】
また家庭で粒状アイスクリームを把持する際、食品用把持具１０を用いることができ、さらにまた綿菓子を把持する際、食品用把持具１０を用いることができる。
【００６４】
さらにまた試食品を把持する際、食品用把持具１０を用いることができ、例えば箸を用いる場合に比べて、廃棄時に食品用把持具１０が廃棄用ポリ袋を破ってしまうことはない。
【００６５】
次に図４および図５により本発明の変形例について説明する。
【００６６】
図４および図５に示す変形例は、第１連結板および第２連結板の形状が異なるのみであり、他の構成は図１乃至図３に示す実施の形態と略同一である。
【００６７】
図４および図５において、図１乃至図３に示す実施の形態と同一部分には同一符号を付して詳細な説明は省略する。
【００６８】
図４に示すように、第１連結板１７ａを構成する第１連結板パネル１７Ａの下辺（台形の下底となる辺）１９は外方へ向かって突出する湾曲線からなり、第２連結板１７ｂを構成する第２連結板パネル１７Ｂの下辺１９も外方へ向かって突出する湾曲線からなる。
【００６９】
また図５に示すように、第１連結板１５ａを構成する第１連結板パネル１５Ａの下辺１９を内方へ向かって突出する湾曲線から構成してもよく、第２連結板１５ｂを構成する第２連結板パネル１５Ｂの下辺１９を内方へ向かって突出する湾曲線から構成してもよい。
【００７０】
第２の実施の形態
次に図７および図８により、本発明による食品用把持具１０の第２の実施の形態について説明する。
【００７１】
食品用把持具１０は内面１０ａと外面１０ｂとを有し、その内面１０ａにおいて食品Ｓを把持する細長状基材１１からなる。この細長状基材１１は基板３２と、基板３２の対向する一対の折罫３５，３５から長手方向に延びる一対のだ円形状の把持板３３ａ，３３ｂとを備えている。
【００７２】
図７において、各把持板３５，３５はその長軸が長手方向を向く。そして食品用把持具１０を閉方向へ屈曲させた場合に、一対の把持板３３ａ，３３ｂ間の基板３２が開方向へのバネ性を呈するようになっている。
【００７３】
すなわち基板３２は一対のだ円形状の把持板３３ａ，３３ｂ間において拘束された形状をもつため、食品用把持具１０を閉方向へ屈曲させた場合に基板３２はその形状を保つよう機能し、このことにより開方向へのバネ性を呈することができる。
【００７４】
次に図８により、食品用把持具１０を製造するための食品用把持具ブランク材１０Ａについて述べる。
【００７５】
食品用把持具ブランク材１０Ａは図８に示すように平板状の細長状基材１１からなる。この細長状基材１１は基板３２に対応する基板パネル３２Ａと、基板パネル３２Ａの対向する一対の折罫３５，３５から長手方向に延びるとともに一対の把持板３３ａ，３３ｂに対応する一対のだ円形状の把持板パネル３３Ａ，３３Ｂとを備えている。
【符号の説明】
【００７６】
１０  食品用把持具
１０Ａ  食品用把持具ブランク材
１０ａ  内面
１０ｂ  外面
１１  細長状基材
１２  基板
１２Ａ  基板パネル
１３ａ  把持板
１３Ａ  把持板パネル
１４  把持板
１４Ａ  把持板パネル
１５ａ  側板
１５Ａ  側板パネル
１５ｂ  側板
１５Ｂ  側板パネル
１６ａ  側板
１６Ａ  側板パネル
１６ｂ  側板
１６Ｂ  側板パネル
１７ａ  第１連結板
１７Ａ  第１連結板パネル
１７ｂ  第２連結板
１７Ｂ  第２連結板パネル
２２  折罫
２２ａ，２２ｂ  折罫
２３ａ，２３ｂ  折罫
２４ａ，２４ｂ  折罫
２５ａ，２５ｂ  折罫
２６ａ，２６ｂ  折罫
３２  基板
３２Ａ  基板パネル
３３ａ  把持板
３３Ａ  把持板パネル
３３ｂ  把持板
３３Ｂ  把持板パネル
【図１】
0005850307.tif 000002
【図２】
0005850307.tif 000003
【図３】
0005850307.tif 000004
【図４】
0005850307.tif 000005
【図５】
0005850307.tif 000006
【図６】
0005850307.tif 000007
【図７】
0005850307.tif 000008
【図８】
0005850307.tif 000009